(57)【要約】  球状接続部分（３０）をもつ要素を、ツール支持構造体の一部を成す管状部材（１０、１１、１４）に取付ける装着装置であって、該装着装置は、管状部材（１０、１１、１４）と接触する部分円筒状内面（２１）と、間に径方向にのびる開口及びクランプブロック（２５）の案内通路（２４）を形成する二つの平行な径方向にのびる壁部分（２２、２３）とを備えた支持部材（２０）を有する。案内通路（２４）は長方形であり、管状部材（１０、１１、１４）上に支持部材（２０）を横から装着するため管状部材（１０、１１、１４）の直径と同じ幅をもつ。クランプブロック（２５）は一端に管状部材（１０、１１、１４）と接触する部分円筒状接触面（２８）を備え、反対端には管状部材（１０、１１、１４）に取付けるべき要素の球状接続部分（３０）と係合する部分球状面（２９）を備え、またクランプリング（３５）は、装着装置及び全構造体に対して被取付け要素を摩擦力で拘束するように球状接続部分（３０）に対してネジ（３７ａ〜３７ｄ）によって押圧される。【選択図】    図１
2009532632.tif 000002
【特許請求の範囲】
【請求項１】
球状接続部分（３０）をもつ要素を管状部材（１０、１１、１４）に取付ける装着装置であって、管状部材と同じ直径の部分円筒状内面（２１）及びクランプブロック（２５）を案内しながら支持する径方向開口をもつ支持部材（２０）を有し、前記クランプブロック（２５）が一端に管状部材と同じ直径の部分円筒状接触面（２８）を備え、反対端には取付けるべき要素の球状接続部分（３０）と係合する部分球状支持面（２９）を備え、また一側に前記クランプブロック（２５）の前記部分球状接触面（２８）の反対側に位置した部分球状面（３６）をもつクランプリング（３５）を有し、さらに、取付けるべき要素、クランプブロック（２５）及び支持部材（２０）を管状部材（１０、１１、１４）に対して摩擦力でロックするために、クランプリング（３５）、取付けるべき要素の球状接続部分（３０）及びクランプブロック（２５）を管状部材に対して押圧する二つ以上のネジ（３７ａ〜３７ｄ）を有する装着装置において、
前記支持部材（２０）が、間に長方形状の径方向開口（２４）を形成する二つの平行壁部分（２２、２３）を備え、
前記径方向開口（２４）が管状部材（１０、１１、１４）の直径に等しい幅をもち、
前記平行壁部分（２２、２３）にネジ付き部分（３３、３４）を係合することにより支持部材（２０）にリングナット（３２）が固定され、また
前記二つ以上のネジ（３７ａ〜３７ｄ）が前記リングナット（３２）におけるネジ孔（３８ａ〜３８ｄ）に係合すること
を特徴とする装着装置。
【請求項２】
クランプリング（３５）が、球状接続部分（３０）より直径の小さい被取付け要素の部分（２６）を受ける横方開口（３１）を備えていることを特徴とする請求項１に記載の装着装置。
【発明の詳細な説明】
【技術分野】
【０００１】
本発明は、球状接続部分をもつ要素を管状部材に、特に一つ以上のナットランナースピンドルの機械的支持体に対する装着構造体の一部を成す管状部材に取付ける装着装置に関するものである。本発明は特に球状接続部分をもつ要素を管状部材に接続する装置に関する。
【背景技術】
【０００２】
上記形式の装置は、国際特許出願ＰＣＴ／ＳＥ２００５／００１４３２に開示されている。この先行技術の装着装置に関する問題点は、何時でも管状部材に接続できないことにある。この形式の装置の支持部材は管状部材に対して１８０°以上の包囲開口をもっているので、この装置はその一端から管状部材にすべり込ませる以外に管状部材に取付けられ得ない。このことは、単に管状部材を他の構造体要素に接続する前にのみ管状部材に付加的な器具を装着できるので、全構造体の適応性が重大にしかも望ましくなく制限されることを意味している。多くの場合、先行技術の装置を用いては可能でなかった全構造体を組立てた後何時でも相補器具又は付属装置を管状部材に取付けできることは重要である。
【発明の開示】
【発明が解決しようとする課題】
【０００３】
本発明は、球状接続部分をもつ要素を管状部材に取付け、管状部材にその他の要素を取付けるのとは別個に、何時でも管状部材に球状接続部分をもつ要素を取付けできる装着装置を提供することによって前記の問題点を解決することを主目的としている。
【０００４】
本発明の別の目的及び利点は以下の説明及び特許請求の範囲から明らかとなる。
【発明を実施するための最良の形態】
【０００５】
本発明の好ましい実施形態について以下添付図面を参照して説明する。
【０００６】
図１に示す構造体は、二つの平行な管状部材１０、１１を有し、これら管状部材１０、１１の下方端部は、三つのツールスピンドル１３ａ、１３ｂ、１３ｃを支持する横プレート１２で接続され、また管状部材１０、１１の上方端部は、管状部材１０、１１と同じ直径の短い管状部材１４によって接続されている。短い管状部材１４及び二つの平行な管状部材１０、１１には、ハンドル１６ａ、１６ｂ、ディスプレイユニット１７、及び支持棒１８のような付加的な器具を取付けるための四つの同一装着装置１５が設けられている。
【０００７】
装着装置１５の各々は、実質的にＵ字形の支持部材２０を有し、この支持部材２０は、管状部材１０、１１、１４の一つを包囲する部分円筒状内面２１及び二つの平行な壁部分２２、２３を備えている。二つの平行な壁部分２２、２３の間には長方形の径方向通路２４が画定され、この長方形の径方向通路２４の幅は管状部材１０、１１、１４の直径と同じである。長方形の径方向通路２４には、クランプブロック２５が案内しながら支持され、クランプブロック２５は、その一端に、管状部材と接触するようにされた部分円筒状面２８を備え、また反対側端には、構造体に取付けられる要素又は付加的な機器の球状接続部分３０と接触する部分球状面２９を備えている。装着装置に取付けられることになる全ての要素は、直径の減少した部分すなわち軸２６と結合した球状接続部分３０を備えている必要がある。
【０００８】
装着装置１５はさらにリングナット３２を有し、このリングナット３２は、壁部分２２、２３におけるねじ付部分３３、３４と係合し、そして壁部分２２、２３の径方向支持体として機能する。またクランプリング３５が設けられ、このクランプリング３５は、その内側に、被取付け要素の球状接続部分３０と係合する部分球状面３６を備えている。クランプリング３５は、球状接続部分３０より直径の小さい被取付け要素の部分２６を横から受ける横方開口３１を備え、またクランプリング３５は四つのネジ３７ａ〜３７ｄによってリングナット３２及び支持部材２０に向って押圧し、四つのネジ３７ａ〜３７ｄは、リングナット３２におけるネジ孔（図示していない）に係合する。リングナット３２は、壁部分２２、２３に対する径方向支持体を形成するだけでなく、支持部材２０とクランプリング３５との間のクランプ力伝達要素も形成している。すなわち、リングナット３２は、ネジ３７ａ〜３７ｄ用のネジ孔を設けるのに十分な丈夫さと大きさを持っている。
【０００９】
本発明による装着装置を用いる際には、クランプリング３５、リングナット３２、及びクランプブロック２５がまず支持部材２０から外され、このことは、クランプブロック２５が自由空間のある管状部材におけるどこででも管状部材上を径方向に摺動するように開放されることを意味している。その後、クランプブロック２５が、壁部分２２、２３の間の通路２４内に挿入され、リングナット３２は壁部分２２、２３におけるネジ付き部分３３、３４にネジ係合される。取付けられることになる要素の球状接続部分３０はクランプブロック２５の部分球状面２９と接触され、クランプリング３５は、リングナット３２の外側に配置されて、側方開口３１を介して取り付けられることになる要素の直径の減少した部分２６を受け、そしてネジ３７ａ〜３７ｄが適位置に装着されて締め付けられる。ネジ３７ａ〜３７ｄを締め付けることによって、クランプリング３５は、取付けられることになる要素の球状接続部分３０に対して押圧され、それにより取付けられることになる要素の球状接続部分３０はクランプブロック２５に対して強制され、そしてクランプブロック２５は管状部材１０、１１、１４に対して緊締される。この構成によって、装着装置は管状部材１０、１１、１４に対して摩擦力で拘束され、そして同時に、取付けられることになる要素１６〜１８の球状接続部分３０は、一側ではクランプブロック２５の球状面と、他側ではクランプリング３５との間の摩擦係合を介して装着装置に対して拘束される。ネジ３７ａ〜３７ｄを締め付ける前に、支持部材２０は管状部材に対して所望の位置及び向きに設定され得、また被取付け要素、ハンドル、ディスプレイなどは、支持部材２０に対してと共に全体として構造体に対して所望の位置に調整され得る。
【００１０】
本発明による装着装置は、同じ目的の先行技術の装置に対して有利であり、支持部材は、二つの平行な壁部分２２、２３を備え、二つの平行な壁部分２２、２３はそれらの間にクランプブロック２５のガイド通路を形成し、このガイド通路の幅は管状部材１０、１１、１４の直径と同じであり、自由空間の利用できる管状部材におけるどの部位でも何時でも管状部材に装置を側方に装着できる。これにより、付加的な機器及び付属部品の種々の要求に対する適応性に関して全構成体の融通性が改善されることになる。
【図面の簡単な説明】
【００１１】
【図１】本発明による装着装置を複数個備えたツール支持構造体の斜視図。
【図２】本発明による装着装置の斜視図。
【図３】図２の装置の縦断面図。
【図１】
2009532632.tif 000003
【図２】
2009532632.tif 000004
【図３】
2009532632.tif 000005
【国際調査報告】
2009532632.tif 000006
2009532632.tif 000007
2009532632.tif 000008